【手続補正書】
【提出日】平成19年7月9日(2007.7.9)
【手続補正１】
【補正対象書類名】特許請求の範囲
【補正対象項目名】全文
【補正方法】変更
【補正の内容】
【特許請求の範囲】
【請求項１】
イメージ情報を入力する入力手段と、
前記イメージ情報からベクトルデータを生成するベクトル化手段と、
前記ベクトルデータの再利用が制限されているか否かを判定する判定手段と、
前記判定手段によって前記ベクトルデータの再利用が制限されていると判定された場合は、前記ベクトル化手段により生成されたベクトルデータに対して再利用制限処理を実行し、前記判定手段によって前記ベクトルデータの再利用が制限されていないと判定された場合は、前記ベクトル化手段により生成されたベクトルデータに対して前記再利用制限処理を実行することなく記憶手段に格納する制御手段と
を備えることを特徴とする画像処理システム。
【請求項２】
前記制御手段は、前記判定手段によって前記ベクトルデータの再利用が制限されていると判定された場合に、前記再利用制限処理として前記ベクトル化手段により生成されたベクトルデータを破棄する
ことを特徴とする請求項１に記載の画像処理システム。
【請求項３】
再利用を制限すべきベクトルデータに関する情報を保持する保持手段をさらに備え、
前記判定手段は、前記ベクトル化手段により生成されたベクトルデータと前記保持手段に保持された前記情報とが同一であるとみなせる場合に、前記ベクトル化手段により生成されたベクトルデータの再利用が制限されていると判定する
ことを特徴とする請求項２に記載の画像処理システム。
【請求項４】
前記ベクトル化手段は、前記イメージ情報から抽出された文字情報の文字コード情報を含むベクトルデータを生成し、
前記保持手段は、再利用を制限すべき文字情報の文字コード情報を保持し、
前記判定手段は、前記生成手段により生成されたベクトルデータに含まれる文字コード情報と前記保持手段に保持された文字コード情報とが同一の場合に、前記ベクトル化手段により生成されたベクトルデータの再利用が制限されていると判定する
ことを特徴とする請求項３に記載の画像処理システム。
【請求項５】
前記イメージ情報を所定の文書作成ソフトウェアで取り扱い可能なフォーマットに変換するフォーマット変換手段をさらに備えることを特徴とする請求項１から４までのいずれか１項に記載の画像処理システム。
【請求項６】
前記イメージ情報を複数のオブジェクトに分割する分割手段をさらに備え、
前記判定手段は、前記分割手段によって分割されたそれぞれのオブジェクトごとに独立に前記ベクトルデータの再利用が制限されているか否かを判定する
ことを特徴とする請求項１から５までのいずれか１項に記載の画像処理システム。
【請求項７】
前記ベクトルデータが再利用された回数を計測する計測手段と、
前記計測手段によって計測された回数が所定回数に達した場合、前記ベクトルデータの再利用を制限する制限手段と
をさらに備えることを特徴とする請求項１から６までのいずれか１項に記載の画像処理システム。
【請求項８】
前記入力手段による前記イメージ情報の入力に先立って、ユーザに対して認証情報の入力を要求する要求手段と、
入力された認証情報に基づいて前記画像処理システムに対するアクセスが許可されたユーザであるか否かを識別する識別手段とをさらに備え、
前記入力手段は、前記識別手段によってアクセス許可されたユーザであると識別されたことを条件として、前記イメージ情報を入力する
ことを特徴とする請求項１から７までのいずれか１項に記載の画像処理システム。
【請求項９】
前記入力手段は、紙原稿を光学的に読み取って得られた前記イメージ情報を入力することを特徴とする請求項１から８までのいずれか１項に記載の画像処理システム。
【請求項１０】
前記制御手段は、前記判定手段によって前記ベクトルデータの再利用が制限されていると判定された場合には前記イメージ情報を利用可能な状態とするとともに前記ベクトルデータを利用不可能な状態とし、前記判定手段によって前記ベクトルデータの再利用が制限されていないと判定された場合には前記ベクトルデータの再利用が可能な状態とする
ことを特徴とする請求項１に記載の画像処理システム。
【請求項１１】
イメージ情報を画像処理装置に入力する入力工程と、
前記イメージ情報からベクトルデータを生成するベクトル化工程と、
前記ベクトルデータの再利用が制限されているか否かを判定する判定工程と、
前記判定工程によって前記ベクトルデータの再利用が制限されていると判定された場合は、前記ベクトル化工程で生成されたベクトルデータに対して再利用制限処理を実行し、前記判定工程によって前記ベクトルデータの再利用が制限されていないと判定された場合は、前記ベクトル化工程で生成されたベクトルデータに対して前記再利用制限処理を実行することなく記憶手段に格納する制御工程と
を有することを特徴とする画像処理方法。
【請求項１２】
コンピュータに、
イメージ情報を入力する入力手順と、
前記イメージ情報からベクトルデータを生成するベクトル化手順と、
前記ベクトルデータの再利用が制限されているか否かを判定する判定手順と、
前記判定手順によって前記ベクトルデータの再利用が制限されていると判定された場合は、前記ベクトル化工程で生成されたベクトルデータに対して再利用制限処理を実行し、前記判定手順によって前記ベクトルデータの再利用が制限されていないと判定された場合は、前記ベクトル化手順で生成されたベクトルデータに対して前記再利用制限処理を実行することなく記憶手段に格納する制御手順と
を実行させるためのプログラム。
【請求項１３】
請求項１２に記載のプログラムを格納したことを特徴とするコンピュータ読み取り可能な記録媒体。
【手続補正２】
【補正対象書類名】明細書
【補正対象項目名】０００８
【補正方法】変更
【補正の内容】
【０００８】
上記課題を解決するために、本発明に係る画像処理システムは、
イメージ情報を入力する入力手段と、
前記イメージ情報からベクトルデータを生成するベクトル化手段と、
前記ベクトルデータの再利用が制限されているか否かを判定する判定手段と、
前記判定手段によって前記ベクトルデータの再利用が制限されていると判定された場合は、前記ベクトル化手段により生成されたベクトルデータに対して再利用制限処理を実行し、前記判定手段によって前記ベクトルデータの再利用が制限されていないと判定された場合は、前記ベクトル化手段により生成されたベクトルデータに対して前記再利用制限処理を実行することなく記憶手段に格納する制御手段と
を備えることを特徴とする。
【手続補正３】
【補正対象書類名】明細書
【補正対象項目名】０００９
【補正方法】変更
【補正の内容】
【０００９】
また、上記課題を解決するために、本発明に係る画像処理方法は、
イメージ情報を画像処理装置に入力する入力工程と、
前記イメージ情報からベクトルデータを生成するベクトル化工程と、
前記ベクトルデータの再利用が制限されているか否かを判定する判定工程と、
前記判定工程によって前記ベクトルデータの再利用が制限されていると判定された場合は、前記ベクトル化工程で生成されたベクトルデータに対して再利用制限処理を実行し、前記判定工程によって前記ベクトルデータの再利用が制限されていないと判定された場合は、前記ベクトル化工程で生成されたベクトルデータに対して前記再利用制限処理を実行することなく記憶手段に格納する制御工程と
を有することを特徴とする。